(57)【特許請求の範囲】
【請求項１】
僧帽弁の弁輪と縫合される弁輪縫合部と、前乳頭筋と縫合される前乳頭筋縫合部と、後乳頭筋と縫合される後乳頭筋縫合部を有する人工弁であって、
１本のベースラインと、前記ベースラインの両端から垂下する２本の垂下ラインと、前記２本の垂下ラインの下端からそれぞれ内向き下方かつ半放物線状に延びる２本のサイドラインと、前記２本のサイドラインの下端からそれぞれ内向きかつ水平状に延びる２本の第一水平ラインと、前記２本の第一水平ラインの内端からそれぞれ上方かつ放物線状に延びる２本の第一湾曲ラインと、前記２本の湾曲ラインの内端からそれぞれ内向きかつ水平状に延びる２本の第二水平ラインと、前記２本の第二水平ラインの内端から上方かつ放物線状に延びる１本の第二湾曲ラインを有する膜部材を用いてなり、
前記弁輪縫合部が、前記ベースラインを、前記前乳頭筋縫合部及び前記後乳頭筋縫合部を含む面に対し垂直下向きに折り返した後、前記２本の垂下ラインを突き合わせて縫合してなり、
前記前乳頭筋縫合部が、前記２本の第二水平ラインを重ね合わせてなり、
前記後乳頭筋縫合部が、前記２本の第一水平ラインを重ね合わせてなり、
前記前乳頭筋縫合部及び前記後乳頭筋縫合部を含む面に対し垂直上向きに開口した寸胴の筒状部であって、前記弁輪縫合部を含む寸胴筒状部と、
前記２本のサイドラインと、前記２本の第一水平ラインと、前記２本の第一湾曲ラインと、前記２本の第二水平ラインと、前記第二湾曲ラインで囲まれてなる二股の脚状部であって、前記前乳頭筋縫合部と前記後乳頭筋縫合部を含む二股脚状部からなる、人工弁。
【請求項２】
前記二股の脚状部が、前記僧帽弁の前尖の中央部及び前記僧帽弁の後尖の中央部に付着する二次腱索を纏めて一塊にして含む形状を有する、請求項１に記載の人工弁。
【請求項３】
前記ベースラインから前記第一水平ラインまでの直線距離（Ｙ１）及び前記ベースラインから前記第二水平ラインまでの直線距離（Ｙ２）が、それぞれ、以下の長さである、請求項１又は２に記載の人工弁。
Ｙ１＝前記僧帽弁の前尖弁輪と後乳頭筋間の直線距離に相当する長さ（Ｙ１´）の１０７．５％〜１０９．５％
Ｙ２＝前記僧帽弁の前尖弁輪と前乳頭筋間の直線距離に相当する長さ（Ｙ２´）の１０７．５％〜１０９．５％
【請求項４】
前記ベースラインの長さ（Ｘ）が、前記僧帽弁の弁輪の周長に相当する長さ（Ｘ´）である、請求項１〜３の何れかに記載の人工弁。
【請求項５】
前記２本の垂下ラインの長さが、それぞれ、前記Ｙ１の２５〜３５％の長さである、請求項３又は４に記載の人工弁。
【請求項６】
前記弁輪縫合部の上端から前記前乳頭筋縫合部の下端までが、前記Ｙ２´に相当する長さを有し、
前記弁輪縫合部の上端から前記後乳頭筋縫合部の下端までが、前記Ｙ１´に相当する長さを有する、請求項３〜５の何れかに記載の人工弁。
【発明の詳細な説明】
【技術分野】
【０００１】
本発明は、人工弁に関する。
【背景技術】
【０００２】
人口の高齢化に伴い、心臓血管外科分野において弁膜症の手術件数が年々増加傾向にある。
【０００３】
弁膜症は、心臓の弁が正しく機能しなくなる疾患であり、弁の開きが悪くなり血液の流れが妨げられる「狭窄」と、弁の閉じ方が不完全なために血液が逆流してしまう「閉鎖不全」がある。代表的には、大動脈弁狭窄症、大動脈弁閉鎖不全症、僧帽弁狭窄症、僧帽弁閉鎖不全症、三尖弁狭窄症、及び三尖弁閉鎖不全症の各疾患がある。これらのうち、特に近年、高齢者における大動脈弁狭窄症や、僧帽弁閉鎖不全症の増加が著しい。
【０００４】
弁膜症に対する治療方式として、狭窄症や閉鎖不全症などにより機能不全に陥った弁を全部切除した後に、人工弁に置き換える術式（以下、弁置換術ともいう）と、自己の弁を温存して異常弁尖を切除した後に再縫合する術式、又は自己の弁を温存して異常弁尖を切除した後に生体膜で形成された弁尖を縫合して弁を再生する術式（以下、前記の再縫合する術式及び前記の再生する術式を合わせて弁形成術ともいう）がある。その他、カテーテルを用いた治療（経カテーテル的大動脈弁置換術など）も近年盛んに施行されている。
【０００５】
上記の治療方式のうち、弁形成術は、従来の弁の機能や形態の連続性が維持されやすく、弁置換術と比較して術後の予後が良いと考えられている。また、自分の弁を生かせるため血栓症などの合併症が少ないというメリットがある。
弁形成術に関し、弁尖素材を得るためのテンプレートに関する技術が開示されている（特許文献１、２）。
【０００６】
一方、弁や心筋の傷みが激しい場合には、弁置換術が適している。
現在、房室弁（僧帽弁及び/又は三尖弁）の狭窄及び/又は閉鎖不全の各疾患に対しては、弁置換術が標準的治療となっている。
房室弁の弁置換術は、病変のある房室弁を全部切除した後に人工弁に置き換える開胸手術である。前記人工弁は、カーボンなどの人工材料で構成される機械弁と、ウシ、ブタ心膜などの生体由来の材料から成る生体弁の２種類に分類される。
【０００７】
房室弁の弁置換術において、以前は機械弁が使用される頻度が高かったが、近年、患者の高齢化に伴い生体弁の使用頻度が大幅に増加している。
図６に示すように、房室弁（僧帽弁１０１及び/又は三尖弁１０２）は、弁輪部１０３より連続して弁尖１０４、腱索１０５、乳頭筋１０６の複合体で構成されている。従来、房室弁の弁置換術では、弁尖１０４と腱索１０５を切除して、半月弁（大動脈弁１０７及び/又は肺動脈弁１０８）に類似した構造の生体弁を上下反転させて弁輪部のみに縫合する術式が採用されている。これら従来の生体弁は、腱索に相当するものがなく乳頭筋とのつながりもないため、形態学的、解剖学的及び生理学的に、正常な房室弁とはかけ離れたものとなる。このため、従来の生体弁を用いて僧帽弁の置換を行った場合、弁輪部〜乳頭筋の連結が失われ、術後の心機能低下が問題となる。
【０００８】
実際の僧帽弁に近い弁挙動をさせることができる人工僧帽弁として、リングと当該リングの周縁に沿って連なる特殊な構造からなる人工弁葉とを備えた人工僧帽弁が開示されている（特許文献３）。
しかし、特許文献３の人工僧帽弁では、弁輪を補正あるいは補強する人工物であるリングの使用に伴う感染や栓塞栓症のリスクがある。
また、特許文献３の人工僧帽弁は、複数の弁尖部材及びリングからなり、構造が複雑であるという問題もある。
【先行技術文献】
【特許文献】
【０００９】
【特許文献１】特許第６４１１０４３号公報
【特許文献２】特許第５１０６０１９号公報
【特許文献３】特許第５３９２５３９号公報
【発明の概要】
【発明が解決しようとする課題】
【００１０】
本発明はこのような事情に鑑みてなされたものであり、本発明が解決しようとする課題は、簡易な構造からなり、弁置換術の術後にも、弁輪部〜乳頭筋の連結が失われず、人工物であるリングの使用に伴う感染や栓塞栓症のリスクを回避することができる人工弁に関連する技術を提供することである。
前記人工弁に関連する技術とは、前記人工弁の形成に用いる人工弁形成用テンプレート及び前記人工弁形成用テンプレートを用いて形成した人工弁を意味する。
【課題を解決するための手段】
【００１１】
本発明者は、鋭意検討の結果、特定形状の人工弁形成用テンプレートにより、上記の課題を解決できることを見出した。本発明はかかる知見に基づいて完成した。
本発明は、以下の［１］〜［９］を提供する。
【００１２】
（人工弁形成用テンプレート：僧帽弁用）
［１］  僧帽弁の弁輪と縫合される弁輪縫合部及び乳頭筋と縫合される乳頭筋縫合部を有する人工弁を形成するための人工弁形成用テンプレートであって、
１本のベースラインと、
前記ベースラインの両端から垂下する２本の垂下ラインと、
前記２本の垂下ラインの下端からそれぞれ内向き下方かつ半放物線状に延びる２本のサイドラインと、
前記２本のサイドラインの下端からそれぞれ内向きかつ水平状に延びる２本の第一水平ラインと、
前記２本の第一水平ラインの内端からそれぞれ上方かつ放物線状に延びる２本の第一湾曲ラインと、
前記２本の湾曲ラインの内端からそれぞれ内向きかつ水平状に延びる２本の第二水平ラインと、
前記２本の第二水平ラインの内端から上方かつ放物線状に延びる１本の第二湾曲ラインを有する、人工弁形成用テンプレート。
【００１３】
（人工弁形成用テンプレート：三尖弁用）
［２］  三尖弁の弁輪と縫合される弁輪縫合部及び乳頭筋と縫合される乳頭筋縫合部を有する人工弁を形成するための人工弁形成用テンプレートであって、
１本のベースラインと、
前記ベースラインの両端から垂下する２本の垂下ラインと、
前記２本の垂下ラインの下端からそれぞれ内向き下方かつ半放物線状に延びる２本のサイドラインと、
前記２本のサイドラインの下端からそれぞれ内向きかつ水平状に延びる２本の第一水平ラインと、
前記２本の第一水平ラインの内端からそれぞれ上方かつ放物線状に延びる２本の第一湾曲ラインと、
前記２本の湾曲ラインの内端をつなぐ１本の第二水平ラインを有する、
人工弁形成用テンプレート。
【００１４】
（人工弁形成用テンプレート：大動脈用）
［３］  大動脈弁の弁輪と縫合される弁輪縫合部及び大動脈壁と縫合される大動脈壁縫合部を有する人工弁、を形成するための人工弁形成用テンプレートであって、
１本のベースラインと、
前記ベースラインの両端から垂下する２本の垂下ラインと、
前記２本の垂下ラインの下端からそれぞれ内向き下方かつ半放物線状に延びる２本のサイドラインと、
前記２本のサイドラインの下端からそれぞれ内向きかつ水平状に延びる２本の第一水平ラインと、
前記２本の第一水平ラインの内端からそれぞれ上方かつ放物線状に延びる２本の第一湾曲ラインと、
前記２本の湾曲ラインの内端からそれぞれ内向きかつ水平状に延びる２本の第二水平ラインと、
前記２本の第二水平ラインの内端から上方かつ放物線状に延びる１本の第二湾曲ラインを有する、人工弁形成用テンプレート。
【００１５】
（人工弁形成用テンプレート：肺動脈用）
［４］  肺動脈弁の弁輪と縫合される弁輪縫合部及び肺動脈壁と縫合される肺動脈壁縫合部を有する人工弁、を形成するための人工弁形成用テンプレートであって、
１本のベースラインと、
前記ベースラインの両端から垂下する２本の垂下ラインと、
前記２本の垂下ラインの下端からそれぞれ内向き下方かつ半放物線状に延びる２本のサイドラインと、
前記２本のサイドラインの下端からそれぞれ内向きかつ水平状に延びる２本の第一水平ラインと、
前記２本の第一水平ラインの内端からそれぞれ上方かつ放物線状に延びる２本の第一湾曲ラインと、
前記２本の湾曲ラインの内端からそれぞれ内向きかつ水平状に延びる２本の第二水平ラインと、
前記２本の第二水平ラインの内端から上方かつ放物線状に延びる１本の第二湾曲ラインを有する、人工弁形成用テンプレート。
【００１６】
（人工弁：僧帽弁用）
［５］  ［１］に記載の人工弁形成用テンプレートを用いて形成された膜部材からなり、僧帽弁の弁輪と縫合される弁輪縫合部と、前乳頭筋と縫合される前乳頭筋縫合部と、後乳頭筋と縫合される後乳頭筋縫合部を有し、
前記弁輪縫合部が、前記膜部材において前記ベースラインに該当する箇所を下方に折り返した後、前記２本の垂下ラインに該当する箇所を突き合わせて縫合してなり、
前記前乳頭筋縫合部が、前記膜部材において前記２本の第二水平ラインに該当する箇所を重ね合わせてなり、
前記後乳頭筋縫合部が、前記膜部材において前記２本の第一水平ラインに該当する箇所を重ね合わせてなる、人工弁。
【００１７】
（人工弁：三尖弁用）
［６］  ［２］に記載の人工弁形成用テンプレートを用いて形成された膜部材からなり、三尖弁の弁輪と縫合される弁輪縫合部と、内側乳頭筋と縫合される内側乳頭筋縫合部と、後乳頭筋と縫合される後乳頭筋縫合部を有し、
前記弁輪縫合部が、前記膜部材において前記ベースラインに該当する箇所を下方に折り返した後、前記２本の垂下ラインに該当する箇所を突き合わせて縫合してなり、  前記内側乳頭筋縫合部が、前記膜部材において第二水平ラインに該当する箇所を中心点で折り曲げて重ね合わせてなり、
前記後乳頭筋縫合部が、前記膜部材において前記２本の第一水平ラインに該当する箇所を重ね合わせてなる、人工弁。
【００１８】
（人工弁：大動脈弁用）
［７］  ［３］に記載の人工弁形成用テンプレートを用いて形成された膜部材からなり、大動脈弁の弁輪と縫合または圧着される弁輪縫合部と、大動脈壁と縫合される大動脈壁縫合部を有し、
前記弁輪縫合部が、前記膜部材において前記ベースラインに該当する箇所を下方に折り返した後、前記２本の垂下ラインに該当する箇所を突き合わせて縫合してなり、
前記大動脈壁縫合部が、前記膜部材において前記２本の第二水平ラインに該当する箇所を重ね合わせてなり、かつ、前記膜部材において前記２本の第一水平ラインに該当する箇所を重ね合わせてなり、
前記弁輪縫合部の前記下方に折り返して形成された袋状空間にワイヤーを挿入してなる、人工弁。
【００１９】
（人工弁：肺動脈弁用）
［８］  ［４］に記載の人工弁形成用テンプレートを用いて形成された膜部材からなり、肺動脈弁の弁輪と縫合または圧着される弁輪縫合部と、肺動脈壁と縫合される肺動脈壁縫合部を有し、
前記弁輪縫合部が、前記膜部材において前記ベースラインに該当する箇所を下方に折り返した後、前記２本の垂下ラインに該当する箇所を突き合わせて縫合してなり、
前記肺動脈壁縫合部が、前記膜部材において前記２本の第二水平ラインに該当する箇所を重ね合わせてなり、かつ、前記膜部材において前記２本の第一水平ラインに該当する箇所を重ね合わせてなり、
前記弁輪縫合部の前記下方に折り返して形成された袋状空間にワイヤーを挿入してなる、人工弁。
【００２０】
（人工弁：僧帽弁用、三尖弁用、肺動脈弁用、大動脈弁用）
［９］  前記膜部材が心膜である、［５］〜［８］のいずれかに記載の人工弁。
【発明の効果】
【００２１】
本発明の一形態の人工弁形成用テンプレートは、僧帽弁の弁輪と縫合される弁輪縫合部及び乳頭筋と縫合される乳頭筋縫合部を有する人工弁を形成するための人工弁形成用テンプレートであって、１本のベースラインと、前記ベースラインの両端から垂下する２本の垂下ラインと、前記２本の垂下ラインの下端からそれぞれ内向き下方かつ半放物線状に延びる２本のサイドラインと、前記２本のサイドラインの下端からそれぞれ内向きかつ水平状に延びる２本の第一水平ラインと、前記２本の第一水平ラインの内端からそれぞれ上方かつ放物線状に延びる２本の第一湾曲ラインと、前記２本の湾曲ラインの内端からそれぞれ内向きかつ水平状に延びる２本の第二水平ラインと、前記２本の第二水平ラインの内端から上方かつ放物線状に延びる１本の第二湾曲ラインを有する簡易な構造からなる。これらの各ラインを含む線で囲まれた形状は、正常な僧帽弁と腱索と乳頭筋を展開した形態に準ずる。
前記の人工弁形成用テンプレートを用意し、その人工弁形成用テンプレートを、人工弁形成用の膜の上に置き、その外周に沿って膜を切離して、人工弁形成用テンプレートと略同一形状の膜を得ることができる。前記切離後の膜において、前記人工弁形成用テンプレートの前記ベースラインに該当する箇所を下方に折り返した後、前記２本の垂下ラインに該当する箇所を突き合わせて縫合して弁輪縫合部とし、前記２本の第二水平ラインに該当する箇所を重ね合わせて前乳頭筋縫合部とし、前記２本の第一水平ラインに該当する箇所を重ね合わせて後乳頭筋縫合部として、簡易な構造の人工弁を得ることができる。
施術時には、病変のある房室弁と腱索を切除した後、前記人工弁の前乳頭筋縫合部を前乳頭筋と縫合し、後乳頭筋縫合部を後乳頭筋と縫合し、弁輪縫合部を僧帽弁の弁輪と縫合して、弁置換が行われる。
前記人工弁形成用テンプレートの第一湾曲ラインと第二湾曲ラインに該当する線に挟まれた箇所は二股の脚状の構造からなり、腱索に相当する機能を果たす。このため、前記の構造からなる人工弁によれば、正常な僧帽弁同様に、弁輪部〜乳頭筋の連結が維持される。
前記のように、前記人工弁形成用テンプレートを、人工弁形成用の膜の上に置き、その外周に沿って膜を切離して、人工弁形成用テンプレートと略同一形状の膜を得、前記膜部材において前記ベースラインに該当する箇所を下方に折り返した後、前記２本の垂下ラインに該当する箇所を突き合わせて縫合して弁輪縫合部とすることで、弁輪を補正あるいは補強する人工物であるリングの使用が不要になり、人工物の使用に伴う感染や栓塞栓症のリスクを回避することができる。
【図面の簡単な説明】
【００２２】
【図１】本発明の一実施形態におけるにおける人工弁の全体斜視図である。
【図２】本発明の一実施形態における人工弁形成用テンプレートの正面図である。
【図３】僧帽弁の上面図である。
【図４】（ａ）図３の僧帽弁を後尖の中央で切断して展開した状態の上面図である。（ｂ）図３の僧帽弁を前尖の中央で切断して展開した状態の上面図である。
【図５】本発明の他の実施形態における人工弁形成用テンプレートの正面図である。
【図６】心臓の概略図である。
【発明を実施するための形態】
【００２３】
以下、本発明を詳細に説明するが、本発明は下記の実施形態に限定されるものではない。
【００２４】
本発明は、弁膜症を発症したヒト、イヌ、ネコ、ヒツジ、ウシ、ブタ、ヤギ、ウサギなどの哺乳類動物に対し、弁置換術を行う際に使用される人工弁を形成するための人工弁形成用テンプレート及びその人工弁形成用テンプレートを用いて形成した人工弁に関する。
【００２５】
＜実施形態１：僧帽弁＞
本実施形態では、ヒトの僧帽弁の弁置換術において使用される人工弁形成用テンプレート及び人工弁について説明する。
【００２６】
本実施形態の人工弁形成用テンプレートは、図１に示す人工弁１、具体的には、僧帽弁の弁輪と縫合される弁輪縫合部２及び前乳頭筋と縫合される前乳頭筋縫合部３及び後乳頭筋と縫合される後乳頭筋縫合部４を有する人工弁１を形成する用途に用いることができる。
【００２７】
（僧帽弁の弁置換術において使用される人工弁形成用テンプレート）
本実施形態の人工弁形成用テンプレート５は、図２に示すように、１本のベースライン６と、前記ベースラインの両端から垂下する、２本の垂下ライン７と、前記２本の垂下ライン７の下端からそれぞれ内向き下方かつ半放物線状に延びる２本のサイドライン８と、前記２本のサイドライン８の下端からそれぞれ内向きかつ水平状に延びる２本の第一水平ライン９と、前記２本の第一水平ライン９の内端からそれぞれ上方かつ放物線状に延びる２本の第一湾曲ライン１０と、前記２本の第一湾曲ライン１０の内端からそれぞれ内向きかつ水平状に延びる２本の第二水平ライン１１と、前記２本の第二水平ライン１１の内端から上方かつ放物線状に延びる１本の第二湾曲ライン１２を有する。
これらの各ラインを含む線で囲まれた形状は、正常な僧帽弁と腱索と乳頭筋を展開した形状に準ずる。
僧帽弁は、図３に示すように、前尖（A１〜A３）と後尖（P１〜P３）からなる。正常な僧帽弁と腱索と乳頭筋を展開した形状とは、図４（ａ）の破線で囲まれた形状と図４（ｂ）の破線で囲まれた形状とをつなぎ合わせた形状を意味する。
図４（ａ）に示すように、前尖には、中央部（A2）を中心に何本もの二次腱索が繋がり、図４（ｂ）に示すように、後尖にも、中央部（P2）を中心に何本もの二次腱索が繋がっている。ここで、二次腱索とは、乳頭筋から始まり僧帽弁に付着する腱索を意味する。
本実施形態の人工弁形成用テンプレート５のサイドライン８と、第一水平ライン９と、第一湾曲ライン１０と、第二水平ライン１１と、第二湾曲ライン１２で囲まれてなる箇所（人工弁形成用テンプレートの「二股の脚状」部分）は前尖の中央部（A2）及び後尖の中央部（P2）に付着する二次腱索を纏めて含む形態に準ずる。
ただし、正常な僧帽弁の二次腱索は前尖の二次腱索の方が後尖の二次腱索より長いのに対し、本実施形態の人工弁形成用テンプレート５では、（Y1）及び（Y2）を共に前尖の中央部（A2）に付着している二次腱索の中で、最も太い支柱腱索を基準に設計している。これにより、弁置換後に後尖のふくらみを出すことができる。
【００２８】
ベースライン６の長さ（Ｘ）は、弁置換が行われる患者（以下、患者という）の僧帽弁の弁輪の周長に相当する長さ（Ｘ´）であることが好ましい。
本明細書において、相当する長さとは、略同一の長さを意味する。測定や切離等の手作業に起因する誤差は略同一の範囲に含まれるものとする。
【００２９】
人工弁形成用テンプレート５のベースライン６から第一水平ライン９までの直線距離（Ｙ１）の長さは、患者の僧帽弁の前尖弁輪と後乳頭筋間の直線距離に相当する長さ（Ｙ１´）の１０７．５％〜１０９．５％の長さであることが好ましく、１０８．０％〜１０９．０の長さであることがより好ましい。
人工弁形成用テンプレート５のベースライン６から第二水平ライン１１までの直線距離（Ｙ２）の長さは、患者の僧帽弁の前尖弁輪と前乳頭筋間の直線距離に相当する長さ（Ｙ２´）の１０７．５％〜１０９．５％の長さであることが好ましく、１０８．０％〜１０９．０の長さであることがより好ましい。
ここで、前尖弁輪とは、前尖と後尖と呼ばれる二つの弁尖からなる僧帽弁の前尖側の弁輪を意味し、後尖弁輪とは僧帽弁の後尖側の弁輪を意味する。
【００３０】
前記Ｘ´、Ｙ１´及びＹ２´は、弁置換術の施術時に測定することができる。測定の方法は限定されないが、例えば、心臓を露出させた状態で人工心肺による体外循環を開始し、心拍を停止させた後、弁輪部及び乳頭筋の一部分を切除して病変のある僧帽弁の切除を行った後、切除した僧帽弁を実測する方法で測定できる。実測方法として、サイザーを用いた方法や、測定対象箇所に沿わせてカットした糸の長さを測定する方法を例示することができる。
前記Ｘ´、Ｙ１´及びＹ２´は、弁置換術の施術前に、経胸壁心臓超音波検査及び/又は経食道心臓超音波検査、ＭＲＩ検査などであらかじめ測定することもできる。
【００３１】
（僧帽弁の弁置換術において使用される人工弁）
次に上記の人工弁形成用テンプレート５を用いて得た人工弁について説明する。
本実施形態の人工弁は、図１に示すように、僧帽弁の弁輪と縫合される弁輪縫合部２と、前乳頭筋と縫合される前乳頭筋縫合部３と、後乳頭筋と縫合される後乳頭筋縫合部４を有する。
【００３２】
本実施形態の人工弁は、次の方法で得ることができる。
まず、図２の人工弁形成用テンプレート５を、膜部材である心膜の上に置き、その外周に沿って心膜を切離して、人工弁形成用テンプレート５と略同一形状の心膜を得る。
続いて、前記人工弁形成用テンプレート５と略同一形状の心膜において、人工弁形成用テンプレート５のベースラインに該当する箇所を下方に折り返した後、前記２本の垂下ラインに該当する箇所を突き合わせて縫合して弁輪縫合部２を形成する。また、前記心膜において、人工弁形成用テンプレート５の前記２本の第二水平ラインに該当する箇所を重ね合わせて前乳頭筋縫合部３とし、人工弁形成用テンプレート５の前記２本の第一水平ラインに該当する箇所を重ね合わせて後乳頭筋縫合部４を形成する。
前記弁輪縫合部２の上下幅（すなわち、前記折り返した後のベースラインに該当するラインと、弁輪縫合部２の上端との間の距離）は、前記Ｙ１の７．５％〜９.５％の長さであることが好ましく、８．０％〜９.０％の長さであることがより好ましい。これにより、従来の人工弁における「リング」の機能と同等の機能を維持しつつ、人工物であるリングの使用に伴う感染や栓塞栓症のリスクを回避することができる。
【００３３】
上記の構造からなる人工弁１は、弁輪縫合部２を患者の僧帽弁の弁輪と縫合し、前乳頭筋縫合部３を患者の前乳頭筋と縫合し、後乳頭筋縫合部４を後乳頭筋と縫合して、心臓内に植え込まれる。
【００３４】
（弁置換後に確認される効果）
サイドライン８と、第一水平ライン９と、第一湾曲ライン１０と、第二水平ライン１１と、第二湾曲ライン１２に該当する線に囲まれた箇所は二股の脚状の構造からなり、腱索１０５に相当する機能を果たすため、上記の構造からなる人工弁１によれば、正常な僧帽弁同様に、弁輪部〜乳頭筋の連結が維持され、置換後の心機能の維持が期待できる。
【００３５】
上記の構造からなり、弁輪縫合部２を有する人工弁１によれば、従来、弁輪を補正あるいは補強する人工物であるリングの使用が不要になり、人工物の使用に伴う感染や栓塞栓症のリスクを回避することができる。ワーファリンといった抗血栓薬・抗凝固薬の内服も不要である。
【００３６】
僧帽弁のサイズには個体差があるが、ベースライン６の長さ（Ｘ）を患者の僧帽弁の弁輪の周長に相当する長さ（Ｘ´）とした人工弁形成用テンプレート５を用いて作成した人工弁１によれば、例えば、従来は弁置換を行うことができなかった新生児の狭小弁輪（直径１５ｍｍ以下）に対しても、最適なサイズの人工弁を用いて弁置換を行うことができる。
また、従来の人工弁では、リングの外側に心臓に縫い付けるための布（カフ）を設けているため、置換後にカフの分だけ弁口面積の狭小化が生じるが、本発明の人工弁では、リングもカフも不要であり、本来の心臓にあった大きな有効弁口面積が得られ、心臓の収縮期拡張期に合わせた弁輪部の動きを保つことができる。
また、本発明の人工弁を用いた場合、十分な接合面の長さを保てるため、長期にわたり、弁の逆流を抑制することができる。
【００３７】
人工弁形成用テンプレート５のベースライン６から第一水平ライン９までの直線距離（Ｙ１）及びベースライン６から第二水平ライン１１までの直線距離（Ｙ２）を、それぞれ前記長さとした人工弁形成用テンプレート５を用いて作成した人工弁によれば、正常な弁と同様に、乳頭筋〜前尖弁輪間の距離（Ｙ１´）を、乳頭筋〜後尖弁輪間の距離（Ｙ２´）より長く確保できる。これにより、弁閉鎖時には、後尖を正常の弁同様に可動させることができる。
さらに、Ｙ１及びＹ２をそれぞれ前記長さとした人工弁形成用テンプレート５を用いて作成した人工弁によれば、僧帽弁収縮期前方運動（SAM/systolic  anterior  movement)を回避することができる。
【００３８】
心膜は、自己心膜が好ましい。自己心膜を用いることで、感染及び溶血性貧血の発生を回避することができ、組織適合性もよく、より長く柔軟性を保つことができる。
前記のように心膜は自己心膜が好ましいが、用途に応じて、牛、馬、豚などの異種心膜や、人工材料からなる膜を用いることもできる。
【００３９】
＜実施形態２：三尖弁＞
本実施形態では、ヒトの三尖弁の弁置換術において使用される人工弁形成用テンプレート及び人工弁について説明する。実施形態１と共通の構造については説明を省略する。
【００４０】
本実施形態の人工弁形成用テンプレート１５は、図５に示すように、１本のベースライン１６と、前記ベースライン１６の両端から垂下する、２本の垂下ライン１７と、前記２本の垂下ライン１７の下端からそれぞれ内向き下方かつ半放物線状に延びる２本のサイドライン１８と、前記２本のサイドライン１８の下端からそれぞれ内向きかつ水平状に延びる２本の第一水平ライン１９と、前記２本の第一水平ライン１９の内端からそれぞれ上方かつ放物線状に延びる２本の第一湾曲ライン２０を有する点は実施形態１と同様である。一方、実施形態１における２本の第二水平ライン１１及び前記２本の第二水平ライン１１の内端から上方かつ放物線状に延びる１本の第二湾曲ライン１２に該当するラインは有さず、第一湾曲ライン２０の内端をつなぐ１本の第二水平ライン２１を有する点で相違している。
【００４１】
人工弁形成用テンプレート１５を、心膜の上に置き、その外周に沿って心膜を切離して、人工弁形成用テンプレート１５と略同一形状の心膜を得て弁輪縫合部を形成する点は実施形態１と共通である。
続いて、２本の第一水平ライン１９に該当する箇所を重ね合わせて後乳頭筋縫合部を形成するとともに、１本の第二水平ライン２１に該当する箇所を中心点で折り曲げて重ね合わせて内側乳頭筋縫合部を形成する。
上記の構造からなる人工弁は、弁輪縫合部を三尖弁の弁輪と縫合し、内側乳頭筋縫合部を内側乳頭筋と縫合し、後乳頭筋縫合部を後乳頭筋と縫合して、心臓内に植え込まれる。
【００４２】
＜実施形態３：大動脈弁＞
本実施形態では、ヒトの大動脈弁の弁置換術において使用される人工弁形成用テンプレート及び人工弁について説明する。実施形態１と共通の構造については説明を省略する。
【００４３】
本実施形態の人工弁形成用テンプレート５は、実施形態１と共通であり、図２に示すように、１本のベースライン６と、前記ベースライン６の両端から垂下する、２本の垂下ライン７と、前記２本の垂下ライン７の下端からそれぞれ内向き下方かつ半放物線状に延びる２本のサイドライン８と、前記２本のサイドライン８の下端からそれぞれ内向きかつ水平状に延びる２本の第一水平ライン９と、前記２本の第一水平ライン９の内端からそれぞれ上方かつ放物線状に延びる２本の第一湾曲ライン１０と、前記２本の第一湾曲ライン１０の内端からそれぞれ内向きかつ水平状に延びる２本の第二水平ライン１１と、前記２本の第二水平ライン１１の内端から上方かつ放物線状に延びる１本の第二湾曲ライン１２を有する。
【００４４】
人工弁形成用テンプレート５を、心膜の上に置き、その外周に沿って心膜を切離して、人工弁形成用テンプレート５と略同一形状の心膜を得る点は実施形態１と共通である。
続いて、前記人工弁形成用テンプレート５と略同一形状の心膜において、人工弁形成用テンプレート５のベースラインに該当する箇所を下方に折り返して形成された袋状空間にワイヤーを挿入後、前記ワイヤーが前記袋状空間から露出しないように、前記ベースラインに該当する箇所を下方に折り返した位置で数か所を縫合する。前記縫合は、前記ベースラインに該当する箇所の両端間で８箇所程度、略等間隔で行うことが好ましい。前記ワイヤーの長さは、大動脈弁の弁輪の周径と略同一であることが好ましい。前記ワイヤーがらせん状や蛇腹状に加工した線材である場合、前記ワイヤーの長さとは、線材自体の長さを意味する。
続いて、前記２本の垂下ラインに該当する箇所を突き合わせて縫合して弁輪縫合部２を形成する。
続いて、前記２本の第一水平ライン９に該当する箇所を重ね合わせて大動脈壁縫着部を形成するとともに、２本の第二水平ライン１１に該当する箇所を重ね合わせて大動脈壁縫着部を形成する。
上記の構造からなる人工弁は、弁輪縫合部を大動脈弁の弁輪と縫合または圧着し、大動脈壁縫着部を大動脈壁と縫合して、心臓内に植え込まれる。
本明細書において圧着とは、前記袋状空間に挿入したワイヤーの作用により、弁輪縫合部と大動脈弁を接合する手法を意味する。前記接合の手法として圧着を採用することで、縫合と比較して、手術手技の簡便化や、手術時間の短縮を図ることができる。
【００４５】
＜実施形態４：肺動脈弁＞
本実施形態では、ヒトの肺動脈弁の弁置換術において使用される人工弁形成用テンプレート及び人工弁について説明する。実施形態１と共通の構造については説明を省略する。
【００４６】
本実施形態の人工弁形成用テンプレート５は、実施形態１と共通であり、図２に示すように、１本のベースライン６と、前記ベースライン６の両端から垂下する、２本の垂下ライン７と、前記２本の垂下ライン７の下端からそれぞれ内向き下方かつ半放物線状に延びる２本のサイドライン８と、前記２本のサイドライン８の下端からそれぞれ内向きかつ水平状に延びる２本の第一水平ライン９と、前記２本の第一水平ライン９の内端からそれぞれ上方かつ放物線状に延びる２本の第一湾曲ライン１０と、前記２本の第一湾曲ライン１０の内端からそれぞれ内向きかつ水平状に延びる２本の第二水平ライン１１と、前記２本の第二水平ライン１１の内端から上方かつ放物線状に延びる１本の第二湾曲ライン１２を有する。
【００４７】
人工弁形成用テンプレート５を、心膜の上に置き、その外周に沿って心膜を切離して、人工弁形成用テンプレート５と略同一形状の心膜を得る点は実施形態１と共通である。
続いて、前記人工弁形成用テンプレート５と略同一形状の心膜において、人工弁形成用テンプレート５のベースラインに該当する箇所を下方に折り返して形成された袋状空間にワイヤーを挿入後、前記ワイヤーが前記袋状空間から露出しないように、前記ベースラインに該当する箇所を下方に折り返した位置で数か所を縫合する。前記縫合は、前記ベースラインに該当する箇所の両端間で８箇所程度、略等間隔で行うことが好ましい。前記ワイヤーの長さは、肺動脈弁の弁輪の周径と略同一であることが好ましい。前記ワイヤーがらせん状や蛇腹状に加工した線材である場合、前記ワイヤーの長さとは、線材自体の長さを意味する。
続いて、前記２本の垂下ラインに該当する箇所を突き合わせて縫合して弁輪縫合部２を形成する。
続いて、２本の第一水平ライン９に該当する箇所を重ね合わせて肺動脈壁縫着部を形成するとともに、２本の第二水平ライン１１に該当する箇所を重ね合わせて肺動脈壁縫着部を形成する。
上記の構造からなる人工弁は、弁輪縫合部を大動脈弁の弁輪と縫合または圧着し、肺動脈壁縫着部を肺動脈壁と縫合して、心臓内に植え込まれる。
【産業上の利用可能性】
【００４８】
本発明は、弁膜症治療のための弁置換術に用いる人工弁に適用できる。
【符号の説明】
【００４９】
１  人工弁
２  弁輪縫合部
３  前乳頭筋縫合部
４  後乳頭筋縫合部
５、１５  人工弁形成用テンプレート
６、１６  ベースライン
７、１７  垂下ライン
８、１８  サイドライン
９、１９  第一水平ライン
１０、２０  第一湾曲ライン
１１、２１  第二水平ライン
１２  第二湾曲ライン
１０１  僧帽弁
１０２  三尖弁
１０３  弁輪部
１０４  弁尖
１０５  腱索
１０６  乳頭筋
１０７  大動脈弁
１０８  肺動脈弁
【要約】      （修正有）【課題】弁輪部〜乳頭筋の連結が失われず、リングの使用に伴う感染や栓塞栓症のリスクを回避できる人工弁を提供する。【解決手段】僧帽弁の弁輪と縫合される弁輪縫合部と乳頭筋と縫合される乳頭筋縫合部とを有する人工弁であって、ベースライン６と、ベースラインの両端から垂下する垂下ライン７と、垂下ラインの下端からそれぞれ内向き下方に延びるサイドライン８と、サイドラインの下端から内向きに延びる第一水平ライン９と、第一水平ラインの内端から上方に延びる第一湾曲ライン１０と、湾曲ラインの内端からそれぞれ内向きに延びる第二水平ライン１１と、第二水平ラインの内端から上方に延びる第二湾曲ライン１２を有する膜部材を用いてなり、弁輪縫合部が、ベースラインを下方に折り返した後、２本の垂下ラインを突き合わせて縫合してなり、前乳頭筋縫合部が、第二水平ラインを重ね合わせてなり、後乳頭筋縫合部が、第一水平ラインを重ね合わせてなる。【選択図】図２【図１】
0006680942.tif 000002
【図２】
0006680942.tif 000003
【図３】
0006680942.tif 000004
【図４】
0006680942.tif 000005
【図５】
0006680942.tif 000006
【図６】
0006680942.tif 000007